(57)【要約】【課題】  パウダー薬剤を対象とし、噴霧量をほぼ一定量にして噴霧させることができるパウダー点鼻薬用噴霧容器の提供。【解決手段】  パウダー排出管４を押し下げると、パウダー受入穴４０がパウダー流入穴３１に符合し、パウダー収容室１０ａのパウダー薬剤Ｐがパウダー溜部３０に流入する。そして、鼻孔用ノズル１２を鼻孔に挿し込み、手動送気ポンプ７を圧縮させと、パウダー溜部内に空気が入気し、この入気空気と共にパウダー溜部内のパウダー薬剤がパウダー排出管を通して鼻孔用ノズルから噴出する。【選択図】  図１
2006122189.tif 000002
【特許請求の範囲】
【請求項１】
内部にパウダー収容室が形成され、先端に鼻孔用ノズルが設けられた本体部材と、
前記パウダー収容室内に上下方向に立設され、その内底部に形成したパウダー溜部を前記パウダー収容室内に連通させるパウダー流入穴が下端側面に形成されているガイド管と、
先端部が前記鼻孔用ノズル内に挿入され、下端部が前記ガイド管内に上下方向に摺動可能に嵌合され、下端側面にパウダー受入穴が形成されたパウダー排出管と、
このパウダー排出管を、常時は前記パウダー受入穴がパウダー流入穴から位置ズレした閉鎖位置に付勢保持させるための付勢スプリングと、
前記パウダー排出管に取り付けられ、前記付勢スプリングによる付勢力に抗してパウダー受入穴がパウダー流入穴に符合した開放位置にパウダー排出管を押し下げるための指掛け部材と、
内部が空気室に形成され、この空気室を前記パウダー溜部に連通させる状態で前記本体部材の下端に連結された手動送気ポンプを備えていることを特徴とするパウダー点鼻薬用噴霧容器。
【発明の詳細な説明】
【技術分野】
【０００１】
本発明は、パウダー薬剤（例えば、風邪薬、鼻炎薬、花粉症薬等）を収容しておき、これを鼻孔内で噴霧させて体内に吸収させるためのパウダー点鼻薬用噴霧容器に関する。
【背景技術】
【０００２】
従来、薬剤は、内服薬、外用薬、注射薬、点鼻薬等、その摂取方法には種々の態があるが、このうち、収容した薬液を鼻孔内で噴霧させ、鼻粘膜を通して体内に吸収させるようにした点鼻薬用噴霧容器が知られている（特許文献１）。
この点鼻薬用噴霧容器は、パウダー薬剤を対象としたものではなく、液体薬剤を対象としたものである。
【０００３】
又、従来、種々の構造の点鼻薬用噴霧容器が提案されているが、これらはいずれも液体薬剤を対象としたものであり、パウダー薬剤を対象としたものは見受けられない。
【特許文献１】特許公開平１１−１１４０６５号公報
【発明の開示】
【発明が解決しようとする課題】
【０００４】
本発明は、パウダー薬剤を対象とし、噴霧量をほぼ一定量にして噴霧させることができるパウダー点鼻薬用噴霧容器を提供することを課題としている。
【課題を解決するための手段】
【０００５】
上記の課題を解決するために、本発明のパウダー点鼻薬用噴霧容器は、
内部にパウダー収容室が形成され、先端に鼻孔用ノズルが設けられた本体部材と、
前記パウダー収容室内に上下方向に立設され、その内底部に形成したパウダー溜部を前記パウダー収容室内に連通させるパウダー流入穴が下端側面に形成されているガイド管と、
先端部が前記鼻孔用ノズル内に挿入され、下端部が前記ガイド管内に上下方向に摺動可能に嵌合され、下端側面にパウダー受入穴が形成されたパウダー排出管と、
このパウダー排出管を、常時は前記パウダー受入穴がパウダー流入穴から位置ズレした閉鎖位置に付勢保持させるためのスプリングと、
前記パウダー排出管に取り付けられ、前記スプリングによる付勢力に抗してパウダー受入穴がパウダー流入穴に符合した開放位置にパウダー排出管を押し下げるための指掛け部材と、
内部が空気室に形成され、この空気室を前記パウダー溜部に連通させる状態で前記本体部材の下端に連結された手動送気ポンプを備えている構成とした。
【発明の効果】
【０００６】
本発明のパウダー点鼻薬用噴霧容器は、パウダー薬剤を噴霧の対象とした使い捨て容器で、手動送気ポンプからの空気をパウダー溜部内に入気させ、この入気空気と共にパウダー溜穴内のパウダー薬剤をパウダー排出管を通して鼻孔用ノズルから噴出させることができる。
【０００７】
又、指掛け部材によりパウダー排出管をスプリングによる付勢力に抗して開放位置に押し下げることで、符合したパウダー受入穴とパウダー流入穴を通してパウダー収容室からパウダー溜部にパウダー薬剤を流入させて、このパウダー溜部にパウダー薬剤を溜めることができるため、パウダー薬剤を定量に計測して、噴霧量をほぼ一定量にすることができる。
【発明を実施するための最良の形態】
【０００８】
以下、本発明の実施の形態を図面に示す実施例により説明する。
図１は本実施例のパウダー点鼻薬用噴霧容器を示す断面図、図２及び図３はその動作を説明するための断面図である。
【０００９】
図において、１は本体部材で、内部にパウダー収容室１０ａが形成された容器部材と、この容器部材１０の上端に螺合連結した中間部材１１と、この中間部材１１の上端に螺合連結された鼻孔用ノズル１２とにより構成されている。
【００１０】
この本体部材１には、前記鼻孔用ノズル１２の衛生面を確保するために、保護キャップ２が着脱可能に取り付けられている。
【００１１】
前記パウダー収容室１０ａ内には上下方向（軸方向）にガイド管３が立設されている。
このガイド管３の内底部はパウダー溜部３０に形成され、このパウダー溜部３０を前記パウダー収容室１０ａ内に連通させるパウダー流入穴３１が下端側面に形成されている。
【００１２】
前記本体部材１の内部には、パウダー排出管４が設けられている。
このパウダー排出管４は、その先端部が前記鼻孔用ノズル１２内に挿入され、下端部が前記ガイド管３内に上下方向に摺動可能に嵌合され、下端側面にパウダー受入穴４０が形成されている。
【００１３】
前記パウダー排出管４は、付勢スプリング５によって、常時は前記パウダー受入穴４０がパウダー流入穴３１から位置ズレした閉鎖位置（図１の位置）に付勢保持されている。
【００１４】
また、前記パウダー排出管４には指掛け部材６が取り付けられ、この指掛け部材６は、鼻孔用ノズル１２に形成したスリット穴１２ａを通してパウダー排出管４に取り付けられ、その指当部６０が本体部材１の外面に突出するようになっている。
この指掛け部材６の指当部６０に指を掛け、前記付勢スプリング５による付勢力に抗してパウダー排出管４を押し下げると、パウダー受入穴４０をパウダー流入穴３１に符合させた開放位置（図２の位置）にパウダー排出管４が移動し、この状態で前記パウダー収容室１０ａに収容したパウダー薬剤Ｐをパウダー溜部３０に流入させることができる。
【００１５】
この場合、パウダー溜部３０に流入するパウダー薬剤Ｐは、パウダー受入穴４０及びパウダー流入穴３１が、そのパウダー薬剤Ｐによって埋まる状態までは流入できるが、その後は、パウダー受入穴４０及びパウダー流入穴３１がパウダー薬剤Ｐ自身で閉鎖されるため、それ以上の流入を阻止することができ、これによって、ほぼ一定量のパウダー薬剤Ｐをパウダー溜部３０に溜めることができる。
【００１６】
なお、指掛け部材６から指を放すと、パウダー排出管４は、付勢スプリング５によって閉鎖位置に戻る。
【００１７】
前記鼻孔用ノズル１２を鼻孔に挿し込むと、鼻水が鼻孔用ノズル１２の内部に侵入し、これがパウダー排出管４に侵入して詰まってしまうことがある。
これに対処するため、パウダー排出管４の先端と、鼻孔用ノズル１２の内面との間に空間Ｓを保持させ、この空間Ｓに鼻水が溜まるようにして、鼻水によるパウダー排出管４の詰まりを防止させるようにしている。
【００１８】
前記本体部材１の下端には、手動送気ポンプ７が連結されている。
この手動送気ポンプ７は、内部の空気室７０が、常時は拡大状態を維持するように拡縮可能に形成され、空気室７０を拡大状態から縮小状態に圧縮させて送気孔７１から空気を送出させることで、前記パウダー溜部３０内に空気を入気させ、この入気空気と共にパウダー溜部３０内のパウダー薬剤Ｐをパウダー排出管４を通して鼻孔用ノズル１２から噴出させるように形成されている。
【００１９】
実施例の手動送気ポンプ７は、有底筒体で形成されたシリンダ筒７２を本体部材１に上下方向に摺動可能に嵌合させたノック式構造に形成されている。
この場合、シリンダ筒７２の内部に設けたスプリング７３により、シリンダ筒７２を下向きに付勢保持させて、常時は内部の空気室７０を拡大状態に維持させ、又、シリンダ筒７２をスプリング７３に抗して上向きに押上げると、内部の空気室７０が縮小して、送気孔７１からパウダー溜部３０内に空気を入気させるように形成されている。
【００２０】
なお、手動送気ポンプとしては、上記のようなノック式構造に限らず、例えば、弾性体で形成された円筒袋状の内部を空気室に形成させ、この空気室を送気孔に連通させるようにした、スポイト構造に形成させることができる。
【００２１】
本実施例のパウダー点鼻薬用噴霧容器を使用するには、保護キャップ２を外した状態で、指掛け部材６の指当部６０に指を掛け、パウダー排出管４を図２に示す開放位置に押し下げれば、パウダー収容室１０ａに収容したパウダー薬剤Ｐをパウダー溜部３０に流入させることができる。
この場合、パウダー溜部３０に流入したパウダー薬剤Ｐ自身によってパウダー受入穴４０及びパウダー流入穴３１が閉鎖されるため、それ以上の流入を阻止することができ、ほぼ一定量のパウダー薬剤Ｐをパウダー溜部３０に溜めることができる。
【００２２】
このようにして、パウダー薬剤Ｐをパウダー溜部３０に溜めたのち、指掛け部材６から指を放すと、パウダー排出管４は、付勢スプリング５によって図１に示す閉鎖位置に戻る。
この状態で、鼻孔用ノズル１２を鼻孔に挿し込み、手動送気ポンプ７を構成するシリンダ筒７２の底を指で押して、図３に示すように、シリンダ筒７２をスプリング７３に抗して上向きに押上げると、内部の空気室７０が縮小して、送気孔７１からパウダー溜部３０内に空気が入気し、この入気空気と共にパウダー溜部３０内のパウダー薬剤Ｐがパウダー排出管４を通して鼻孔用ノズル１２から噴出する。
このようにして、パウダー薬剤Ｐを噴霧させた後、指を放してシリンダ筒７２に対する押上げを開放させると、図１に示すように、シリンダ筒７２が戻って空気室７０が拡大状態に復帰する。そして、最後に鼻孔用ノズル１２に保護キャップ２を嵌めて、パウダー点鼻薬用噴霧容器の使用を終了させる。
【図面の簡単な説明】
【００２３】
【図１】本実施例のパウダー点鼻薬用噴霧容器を示す断面図である。
【図２】その動作を説明するための断面図である。
【図３】その動作を説明するための断面図である。
【符号の説明】
【００２４】
１  本体部材
１０  容器部材
１０ａ  パウダー収容室
１１  中間部材
１２  鼻孔用ノズル
１２ａ  スリット穴
２  保護キャップ
３  ガイド管
３０  パウダー溜部
３１  パウダー流入穴
４  パウダー排出管
４０  ウダー受入穴
５  付勢スプリング
６  指掛け部材
６０  指当部
７  手動送気ポンプ
７０  空気室
７１  送気孔
７２  シリンダ筒
７３  スプリング
Ｐ  パウダー薬剤
Ｓ  空間
【図１】
2006122189.tif 000003
【図２】
2006122189.tif 000004
【図３】
2006122189.tif 000005